(57)【特許請求の範囲】
【請求項１】
移動手摺に着脱可能に固定される手摺固定部と、エスカレータ付近で作業する作業者に一端が装着された安全具の他端を保持する安全具保持部と、を備えるエスカレータ作業用安全具の保持具の使用方法であって、
前記手摺固定部を、エスカレータ上部の乗降床近傍に備えられ前記移動手摺が入り込む上部入り込み口近傍の移動手摺に固定することを特徴とするエスカレータ作業用安全具の保持具の使用方法。
【請求項２】
前記手摺固定部は、前記移動手摺に跨がり掴むよう形成されていることを特徴とする請求項１に記載のエスカレータ作業用安全具の保持具の使用方法。
【請求項３】
前記手摺固定部は、前記移動手摺と接触する部位に弾性材料からなる部材を有することを特徴とする請求項１又は２に記載のエスカレータ作業用安全具の保持具の使用方法。
【請求項４】
前記手摺固定部は、断面がコの字形状の二つの部材を相互に固定してなることを特徴とする請求項１〜３のいずれかに記載のエスカレータ作業用安全具の保持具の使用方法。
【請求項５】
前記手摺固定部は、前記上部入り込み口の近傍の下側に回り込んだ移動手摺に跨がり掴むように固定され、
前記安全具保持部は、前記移動手摺の幅方向中央部に位置することを特徴とする請求項１〜４のいずれかに記載のエスカレータ作業用安全具の保持具の使用方法。
【発明の詳細な説明】
【０００１】
【発明の属する技術分野】
本発明は、移動手摺を備えるエスカレータ付近で作業する作業者に一端が装着された安全具の他端を保持する保持具及びその使用方法に関する。
【０００２】
【従来の技術】
従来、エスカレータ付近で保守・点検作業などを行なう作業者は、安全を確保するために一方の端部をエスカレータ周辺の適当な場所に固定した安全ベルトを装着する必要があった。こうすれば、例えば、作業者がエスカレータの外側に体を乗り出して作業を行う場合でも安全に作業を行なうことができる。このような安全ベルトは、作業者が無理な体勢にならないような場所に固定することが好ましい。
【０００３】
【発明が解決しようとする課題】
しかしながら、エスカレータの設置場所によっては、エスカレータ周辺に安全ベルトを固定する場所を見つけるのが困難であったり、安全ベルトを固定する場所があったとしても作業者に無理な姿勢を強いてしまうことがある。
【０００４】
本発明は、上記課題を解決するためになされたものであり、作業者が装着した安全具をエスカレータの設置場所に関わらず確実に保持できる保持具及びその使用方法を提案することを目的とする。
【０００５】
【課題を解決するための手段】
本発明のエスカレータ作業用安全具の保持具は、移動手摺を備えるエスカレータ付近で作業する作業者に一端が装着された安全具の他端を保持し、エスカレータ上部の乗降床近傍に備えられ前記移動手摺が入り込む上部入り込み口近傍の移動手摺に固定されるエスカレータ作業用安全具の保持具であって、前記移動手摺に着脱可能に固定される手摺固定部と、前記安全具の他端を保持する安全具保持部と、を備えることを特徴とする。
【０００６】
本発明のエスカレータ作業用安全具の保持具では、手摺固定部でエスカレータの移動手摺に着脱可能に固定され、安全具保持部で安全具を保持する。つまり、保持具は、エスカレータ自体に固定されるので、エスカレータの設置場所に関わらず安全具を確実に保持することができる。
本発明のエスカレータ作業用安全具の保持具の使用方法は、移動手摺に着脱可能に固定される手摺固定部と、エスカレータ付近で作業する作業者に一端が装着された安全具の他端を保持する安全具保持部と、を備えるエスカレータ作業用安全具の保持具の使用方法であって、手摺固定部を、エスカレータ上部の乗降床近傍に備えられ移動手摺が入り込む上部入り込み口近傍の移動手摺に固定することを特徴とする。
【０００７】
本発明のエスカレータ作業用安全具の保持具において、前記手摺固定部は、前記移動手摺に跨がり掴むよう形成されているものとしてもよい。こうすると、より確実に保持具を移動手摺に固定することができる。
【０００８】
本発明のエスカレータ作業用安全具の保持具において、前記手摺固定部は、前記移動手摺と接触する部位に弾性材料からなる部材を有するものとしてもよい。こうすれば、弾性材料からなる部材により手摺固定部を移動手摺に固定する際に移動手摺に傷などが入ることを抑制することができる。
【０００９】
本発明のエスカレータ作業用安全具の保持具において、前記手摺固定部は、断面がコの字形状の二つの部材を相互に固定してなるものとしてもよい。こうすれば、保持具の移動手摺への着脱を容易にすることができる。
【００１０】
本発明のエスカレータ作業用安全具の保持具において、前記手摺固定部は、前記上部入り込み口の近傍の下側に回り込んだ移動手摺に跨がり掴むように固定され、前記安全具保持部は、前記移動手摺の幅方向中央部に位置する。
【００１１】
【発明の実施の形態】
以下、本発明の実施の形態（以下実施形態という）を、図面に従って説明する。尚、各図において同一又は同一の機能を果たす部材には同一の符号を付し説明を省略する。
【００１２】
図１は、本実施形態の保持具１００をエスカレータ２００の移動手摺２０２に固定した様子を示す外観図である。図２は、保持具１００の構成の概略を示す平面図であり、図３は、図２のＡＡ線での断面図である。また、図４は、保持具１００の要部を構成する部品を図２に示したＢ方向から眺めたときの分解図であり、図５は、図４のＣＣ線での断面図である。
【００１３】
移動手摺２０２は、内側板２０４により支持されたハンドレール２０６に沿って摺動し、エスカレータ２００を上りエスカレータとして用いる場合、ステップ２０８が入り込む上部の乗降床２１０の近傍に設けた入り込み口２１２からスカートガード２１４内へ入り込んでいく。作業者１０は、エスカレータ２００付近で保守・点検作業などを行なう際、エスカレータ２００の動作を停止させた後、本実施形態の保持具１００を移動手摺２０２に固定すると共に作業者１０が装着した安全ベルト１２の端部の掛け具（図示せず）を保持具１００に保持させて所定の作業を行なう。
【００１４】
保持具１００は、図２及び図３に示すように、移動手摺２０２に固定される手摺固定部１１０と、安全ベルト１２の掛け具を保持するリング形状の保持部１２０を有するアイボルト１２２とを備えている。
【００１５】
手摺固定部１１０は、図４及び図５に示すように、ゴム製の部材１１２が内貼りされ断面がコの字形状の金属製の固定部材１１４ａ，１１４ｂからなり、固定部材１１４ａ，１１４ｂの各々に金属製のＬ字型の連結板１１６ａ，１１６ｂが取り付けられている。連結板１１６ａ，１１６ｂには、アイボルト１２２が挿入される挿入穴１１８ａ，１１８ｂが設けられている。そして、連結板１１６ａには、ナット１２４のボルト挿入穴と挿入穴１１８ａが連通するようにナット１２４が溶接されている。
【００１６】
手摺固定部１１０は、以下のようにして移動手摺２０２に固定される。最初に、固定部材１１４ａ，１１４ｂを移動手摺２０２を覆うように配置し、ナット１２４のボルト挿入穴及び挿入穴１１８ａ，１１８ｂが連通するように固定部材１１４ａ，１１４ｂを図４に示したＤ方向にずらす。そして、アイボルト１２２を各穴に挿入しナット１２４に螺合させることにより、手摺固定部１１０を移動手摺２０２に跨り掴むように固定する。手摺固定部１１０は、移動手摺２０２へアイボルト１２２を用いて固定するので、アイボルト１２２を外せば移動手摺２０２から外すことができる。このようにアイボルト１２２を用いることにより、手摺固定部１１０の移動手摺２０２への着脱を容易に行なうことができる。
【００１７】
このように保持具１００は、移動手摺２０２に固定されているので、作業者１０が作業中に乗降床２１０から足を踏み外しても、保持具１００，移動手摺２０２，ハンドレール２０６で作業者１０が保持される。この結果、乗降床２１０から作業者１０が下方へ落下するのを防ぐことができる。また、保持具１００は、移動手摺２０２に着脱可能に固定されるので、エスカレータ２００がどのような場所に設置されても、安全ベルト１２を確実に保持することができる。また、保持具１００は、手摺固定部１１０の固定部材１１４ａ，１１４ｂがゴム製の部材１１２で内貼りされているので、移動手摺２０２に傷が入るのを抑制することができる。
【００１８】
本実施形態の保持具１００では、手摺固定部１１０は、固定部材１１４ａ，１１４ｂの二つの部材からなるものとしたが、移動手摺２０２に固定できる形状であれば一つの部材からなるものとしてもよいし、三つ以上の部材からなるものとしてもよい。
【００１９】
本実施形態の保持具１００では、手摺固定部１１０の固定部材１１４ａ，１１４ｂをゴム製の部材１１２で内貼りされているものとしたが、内貼りされていなくてもよい。
【００２０】
本実施形態の保持具１００では、移動手摺２０２の入り込み口２１２近傍の位置に固定したが、移動手摺２０２の別の位置に固定してもよい。このとき、保持具１００は、作業者１０が作業中に無理な体勢にならないような場所に固定することが好ましい。
【００２１】
本実施形態の保持具１００では、安全ベルト１２の掛け具を保持する部位は、リング形状であるものとしたが、安全ベルト１２を保持できる形状であれば他の形状のものでもよい。
【００２２】
【発明の効果】
本発明のエスカレータ作業用安全具の保持具では、手摺固定部でエスカレータの移動手摺に着脱可能に固定され、安全具保持部で安全具を保持する。この結果、エスカレータの設置場所に関わらず安全具を確実に保持することができる。
【図面の簡単な説明】
【図１】  本実施形態の保持具１００をエスカレータ２００の移動手摺２０２に固定した様子を示す外観図である。
【図２】  保持具１００の構成の概略を示す平面図である。
【図３】  図２のＡＡ線での断面図である。
【図４】  保持具１００の要部を構成する部品を図２に示したＢ方向から眺めたときの分解図である。
【図５】  図４のＣＣ線での断面図である。
【符号の説明】
１０  作業者、１２  安全ベルト、１１０  手摺固定部、１１２  部材、１１４ａ，１１４ｂ  固定部材、１２０  保持部、２００  エスカレータ、２０２  移動手摺、２１２  入り込み口。
【図１】
0003782686.tif 000002
【図２】
0003782686.tif 000003
【図３】
0003782686.tif 000004
【図４】
0003782686.tif 000005
【図５】
0003782686.tif 000006